(57)【要約】      （修正有）【課題】葬儀に関わる返礼品送付において、宛先不明や発送人不知等による返品を防止し、且参列者名簿の保存管理を容易にする宅配伝票兼参列者名簿を提供する。【解決手段】複数枚の切離し可能な個票を収束した複写式の宅配伝票兼参列者名簿を提供し、当該伝票兼名簿へ参列者自らが住所・氏名等を記載することで、転記の必要なく返礼品の発送を実施することが可能である。又、前記住所記載に関する注意事項を予め印字しておくことや、芳名録と参列者名簿に転居予定者用の新住所等の記入欄を設けたこと、及び荷札用個票と宅配業者用個票には、謝辞を含意した故人と喪主との関係兼返礼品の送付事由を記入すること、そして参列者等の住所等に関する変更事項を書き加えることで半永久性が付与可能となる。【選択図】図１
0003143185.tif 000002
【実用新案登録請求の範囲】
【請求項１】
宅配伝票の中に参列者名簿を組込み、これらを収束して一体化したことを特徴とする宅配伝票兼参列者名簿。
【請求項２】
少なくとも、荷札用個票と宅配業者用個票には、会葬御礼の辞を兼ねた、返礼品の送付事由と喪主と故人との関係を記入する欄を設けると共に、芳名録と参列者名簿には、転居予定者用の記入欄を設け、又前記参列者名簿には、変更事項記入欄を設けたことを特徴とする請求項１記載の宅配伝票兼参列者名簿。
【考案の詳細な説明】
【技術分野】
【０００１】
本考案は、葬儀や祝賀会、結婚式等で使用する参列者名簿を宅配伝票の中に組込み、これらを収束して一体化した宅配伝票兼参列者名簿に関する。          
【背景技術】
【０００２】
葬儀で使用されている従来の参列者名簿は、連記式の冊子か一枚の個票となっており、参列者の住所・氏名等を記入するだけの簡単なものか、又は葬儀後の香典等の整理作業に関するものであった。
【０００３】
従来の参列者名簿（芳名録等）を改良したものとしては、以下の案が知られている。
特許文献1には、葬儀やその爾後の行事に於ける煩雑な整理作業を簡潔にする為に、芳名録を故人と参列者との関係性よって分類整理することを主眼とした芳名録が開示されている。
【０００４】
特許文献２には、会葬者用記帳シ−トを複写式とし、当該シ−トの下側に配置した香典シ−トに自動的に転写されるようにして、転記を行うことなく香典帳を作成できるようにした香典帳兼御会葬者芳名録が開示されている。
【０００５】
特許文献３には、参列者が受付用記帳紙に記入した住所と氏名とが、前記記帳紙の下側に配置された控用と保存用の各記帳紙にそのまま複写されるようにし、後に葬儀等で受領した金品等の記入を容易に行われるようにした記帳簿が開示されている。
【０００６】
特許文献４には、一枚地のシ−トの片側に連記式の芳名欄と住所欄とを設けると共に、その他側に香典額や供物等の受付、及び香典返し記入欄等を設け、これらの事柄を一覧できるようにした芳名録が開示されている。
【０００７】
特許文献５には、四枚綴りの複写式のカ−ドを作成し、葬儀当日に香典を渡した人には、その場で返礼品のカタログを渡して葬儀場でその中から返礼品を選んで貰い、重い物と長い物を除き、これを葬儀場で渡し、前記重い物と長い物を選んだ人には宅配便で送付するとした御返礼の申込書が開示されている。
【０００８】
しかしながら、前記案の何れに於いても、参列者名簿への大雑把な住所記入（以下、住所不備という。）、参列者名簿から宅配伝票への転記間違い（以下、誤転記という。）、特に喪主と故人との住所と氏名の両方が異なっている場合の発送人不知を事由とする受取りの辞退（以下、受取拒否という。）及び転居等を事由とする返礼品の返品問題については、何の対策も採られておらず、従来どおり日常的に返品が発生する。
【０００９】
次に、前記重い物と長い物以外の物を選んだ人には、当日それを葬儀場で渡すと解釈できるが、そうであれば、葬儀当日に葬儀場にカタログ掲載品全品を参列予定者数を若干上回るか、或いは経験上その何掛けかを予め用意しておかなければならず、あまりにも非現実的であり、又他人に香典を預けた人には、その額の多寡に関係なく一定の物を送付するというのは、社会常識を欠く所為と言わざるを得ない。
【００１０】
【特許文献１】特開2003−326874号公報
【特許文献２】実開平7−24181号公報
【特許文献３】実開昭61−152476号公報
【特許文献４】実用新案登録第3029875号公報
【特許文献５】実用新案登録第3051296号公報
【考案の開示】
【考案が解決しようとする課題】
【００１１】
喪主等から依頼を受けた返礼用宅配品の、前記住所不備、誤転記、受取拒否、及び転居を事由とすることによる返品問題を解決すると共に、宅配伝票等に予め印字しておく各種用語等を、葬儀等に相応しい表現とすることで、社会常識上些かの疑義をも惹起せしめぬようにすること、そして参列者等の住所や名字、電話番号等に変更が生じた場合に、これらの事柄を記入・訂正する為の欄を参列者名簿に設けることにより、これに半永久性を付与することを課題とする。
【課題を解決するための手段】
【００１２】
本考案者は、以上のような状況に鑑み、宅配伝票兼参列者名簿を完成させたのであり、その特徴とするところは、参列者名簿を宅配伝票の中に組込んで収束一体化し、複写式の宅配伝票兼参列者名簿としたところにある。
【考案の効果】
【００１３】
本考案の宅配伝票兼参列者名簿は、葬儀等の返礼品の返品問題を解決すると共に、参列者名簿に変更事項記入欄を設けたことにより、参列者（代替わりした場合の新所帯主や団体の新代表者等を含む。）の住所、氏名、名字、名称、電話番号等に変更があった場合に、別紙を用いることなく、これらの事柄を記入・訂正することができるようになって利便性が向上し、且半永久的に利用し続けることができる。
【００１４】
又、 宅配伝票に予め印字しておく各種用語等を、葬儀等に相応しい表現としたことにより、社会常識上些かの疑義をも生じないようになる。
【考案を実施するための最良の形態】
【００１５】
以下、本考案の会葬御礼用返礼品の宅配伝票兼参列者名簿について、その概略を説明する。
【００１６】
参列者名簿を含む6枚の個票と１枚の剥離紙とを収束して１部と成した宅配伝票兼参列者名簿を、その収束したままの状態で各参列者に１部ずつ配布し、通常の宅配伝票に於いては荷受人欄に相当する欄である、芳名録の御会葬者欄へ参列者自身にその住所、氏名等
を記入してもらう。
【００１７】
このことにより、前記記入事項がそのまま参列者名簿を含む下5枚の各個票に複写される為、転記が不要となり、誤転記を事由とする返品問題が完全に解決される。
【００１８】
宅配伝票兼参列者名簿、即ち宅配伝票形式にしたことにより、参列者が芳名録に記入するに際し、当該者に対して、これによって返礼品が送付されて来るのだという認識を惹起させることができると共に、芳名録に予め住所記入に関しての注意事項を印字したこと等により、住所不備を事由とする返品問題の大幅な解決が期待される。
【００１９】
少なくとも、宅配業者用個票と荷札用個票には、会葬御礼の辞を含意した返礼品の送付事由、兼喪主と故人との関係、例えば「父  ００ ００ への会葬御礼」等を記入できる箇所を設けたこと、及び荷札用個票等の宛名書きの字が荷受人（参列者）自身の手に依るものであること等により、喪主と故人との住所と名字の両方が異なっている場合に於いても、
発送人不知を事由とする受取拒否問題も完全に解決される。
【００２０】
個票の芳名録には、転居予定者用の新住所記入欄を設けた。当該欄は、参列者名簿と共通欄であり、且複写欄となっている為、前記新住所記入欄への記入事項は、参列者名簿の前記共通欄にそのまま複写される。そして当該欄には、参列者の転居予定の有無を問う項目も設けたことにより、転居先未定の参列者に対し、喪主は事前に連絡をとり転居先を尋ねることもでき、転居を事由とする返品問題の大幅な解決が期待される。
【００２１】
個票の参列者名簿には、参列者やその後継者の住所、名字、氏名、電話番号等に変更が生じた場合に、その事柄を記入・訂正する為の変更事項記入欄を設けた。
【００２２】
参列者記入欄に予め印字しておく、例えば御会葬者の「御」や参列者の氏名記入枠の末尾の「様」の敬称文字を、参列者が社会常識としてこれを棒線等で消した場合には、この線等が下5枚の各個票に複写され、荷受人である参列者に対して礼を失することになる。
【００２３】
そこでこのことを考慮し、上5枚の各個票の前記「御」と「様」の部分の裏側には、複写剤を塗布等配剤せず、前記敬称文字が棒線等で消されることを防止する。
【００２４】
通常の宅配伝票の発送人（本考案に於いては喪主）欄の氏名記入枠の末尾には、必ず「様」
の文字が予め印字されているが、当該文字を消去、即ち印字しない。
【００２５】
以下、本考案の一実施の形態を、会葬御礼用返礼品の宅配伝票兼参列者名簿について、図面により説明する。
【００２６】
図１は、6枚の個票と１枚の剥離紙とを収束した宅配伝票兼参列者名簿の１番上に位置している芳名録ａである。ａには、参列者と喪主双方の電話番号と住所・氏名記入欄、及び転居予定者の新住所等の記入欄（リ）を設けると共に、住所記入に際しての注意書き（ニ）と会葬御礼の辞（ロ）が印字されている。参列者と喪主双方の電話番号と住所・氏名記入欄は6枚の個票共通欄であり、いずれも複写欄となっており、２枚目以降に全て複写される。
【００２７】
図２は、上記宅配伝票兼参列者名簿の２枚目に位置する参列者名簿ｂであり、変更事項記入欄（ヌ）と転居予定者の新住所等の記入欄（リ）が設けられている。
前記（ヌ）を設けたことにより長年に亘り参列者名簿を管理保管する上で、名簿更新が随時可能となる。
【００２８】
図３は、上記宅配伝票兼参列者名簿の３枚目に位置する運賃請求用個票ｃである。
【００２９】
図４は、上記宅配伝票兼参列者名簿の４枚目に位置する運輸会社用個票ｄである。
【００３０】
図５は、上記宅配伝票兼参列者名簿の５枚目に位置する荷札用個票ｅである。喪主と故人との関係、及び返礼品の趣旨を明示する欄（ル）が設けられており、これは会葬御礼の辞を兼ねている。
【００３１】
図6は、上記宅配伝票兼参列者名簿の6枚目に位置する宅配業者用個票ｆである。
荷受人受領押印欄（ヲ）が設けられていると共に、ｅと同様に喪主と故人との関係、及び返礼品の趣旨を明示する欄が設けられており、これも会葬御礼の辞を兼ねている。
【００３２】
荷札用個票ｅを除く個票ａ、ｂ、ｃ、ｄ、ｆには、これを切取る為の切取り線（ハ）と、切取った後にこれらを綴る為の係止孔（イ）が設けられている。
【００３３】
6枚の個票には、参列者と喪主双方の住所・氏名等の記入箇所を示す指示用語（ホ）、及び芳名録ａを除く5枚の各個票には、その用途を示す識別用語（ヘ）が、印字されている。
【００３４】
本実施の形態では、会葬御礼用で説明したが、祝賀会等の御礼では、「御会葬者欄」を「御出席欄」とし、「会葬御礼の辞」を「御来席御礼の辞」、そして「喪主」を「祝賀主」等とする。
【００３５】
以下に、使用方法の一態様を示す。
【００３６】
参列者に収束したままの宅配伝票兼参列者名簿を各１部ずつ配布し、１枚目の芳名録ａの御会葬者欄（ト）に、参列者自身にその住所・氏名等を記入してもらう。又、転居予定者には、新住所欄（リ）に新住所等を記入してもらう。
【００３７】
後に喪主側は、２枚目の参列者名簿ｂを切取り、この係止孔（イ）に紐を通す等して冊子を作成しする。こうすることによって、長年に亘って保管管理が可能となる。
【００３８】
喪主は、返礼品購入時に参列者名簿ｂを除いた宅配伝票兼参列者名簿を収束したままの状態で進物業者へ渡す。
【００３９】
進物業者は、宅配伝票兼参列者名簿を収束したままの状態で剥離紙ｇを剥がして返礼品に貼付し、当該品を、例えば全国に配送網を有する運輸会社か、又は地元の一定地域を配送範囲とする宅配業者へ引き渡す。
【００４０】
前記運輸会社を介する場合には当該会社が、そうでない場合には宅配業者が当該録ａを切取って進物業者へ渡すと共に、運賃請求個票ｃも切取って保管し、後日これを基にして進物業者へ運賃を請求する。
【００４１】
前記運輸会社を介する場合には、当該会社は自社宅配するか、又は宅配業者に再委託する。
【００４２】
宅配完了後、前記運輸会社が自社宅配した場合には当該会社が、宅配業者に再委託した場合には宅配業者は当該会社を介して宅配業者用個票（ｆ）を進物業者へ渡す。
【００４３】
そして進物業者は、宅配完了の証として宅配業者用個票（ｆ）を喪主に渡す。
【産業上の利用可能性】
【００４４】
本考案は、宅配伝票兼参列者名簿に関する。
【図面の簡単な説明】
【００４５】
【図１】宅配伝票兼参列者名簿の１枚目、芳名録である。
【図２】宅配伝票兼参列者名簿の２枚目、参列者名簿である。
【図３】宅配伝票兼参列者名簿の３枚目、運賃請求用個票である。
【図４】宅配伝票兼参列者名簿の４枚目、運輸会社用個票である。
【図５】宅配伝票兼参列者名簿の５枚目、荷札用個票である。
【図６】宅配伝票兼参列者名簿の6枚目、宅配業者用個票である。
【図７】宅配伝票兼参列者名簿の分解図である。
【符号の説明】
【００４６】
ａ  芳名録（進物業者用個票）
ｂ  参列者名簿（喪主用個票）
ｃ  運賃請求用個票（運賃請求票）
ｄ  運輸会社用個票（発店控）
ｅ  荷札用個票（御返礼品貼付票）
ｆ  宅配業者用個票（御返礼品受領票）
ｇ  剥離紙
イ  係止孔
ロ  会葬御礼の辞
ハ  切取り線
ニ  住所記入に関する注意事項
ホ  指示用語
へ  識別用語
ト  参列者記入欄
チ  喪主記入欄
リ  転居先記入欄
ヌ  変更事項記入欄
ル  会葬御礼の辞、兼喪主と故人との関係及び送付事由記入欄
ヲ  荷受人受領印欄
【図１】
0003143185.tif 000003
【図２】
0003143185.tif 000004
【図３】
0003143185.tif 000005
【図４】
0003143185.tif 000006
【図５】
0003143185.tif 000007
【図６】
0003143185.tif 000008
【図７】
0003143185.tif 000009
【手続補正書】
【提出日】平成20年5月7日(2008.5.7)
【手続補正１】
【補正対象書類名】図面
【補正対象項目名】図５
【補正方法】変更
【補正の内容】
【図５】
0003143185.tif 000010